(57)【要約】【課題】本体の導出口からワイヤを外部に導出した入退室コントローラにおいて、ワイヤを伝って本体内に水が浸入した水を速やかに本体外に排除する。【解決手段】基板５に接続されたコネクタ８から引き出されたワイヤ９群を、ボス部１１と押え片１３との間の隙間１５に挿入し、次いで、ボス部１１にほぼＵ字状に掛け渡してボス部１１と押え片１４との間の隙間１６に挿入し、その後、導出口１０から外部に引き出す。ワイヤ９を伝って本体１内に浸入した水は、ワイヤ９のＵ字状の水切り部１７で滴下し、ケース３の下面部に形成した排水口から外部へ排出される。【選択図】図１
2009094358.tif 000002
【特許請求の範囲】
【請求項１】
本体内に配設された電気部品に接続されたワイヤを、前記本体に形成された導出口から外部に引き出す構成の入退室コントローラにおいて、
前記本体内に、前記電気部品と前記導出口との間に位置する前記ワイヤの途中部分をほぼＵ字状に掛け渡す掛合部を設け、当該掛合部に掛け渡された前記ワイヤの前記ほぼＵ字状の部分を、前記ワイヤを伝って外部から前記本体内に浸入する水に対する水切り部となすと共に、
前記本体の下面部に、前記水切り部から滴下する水を外部に排出するための排水口を形成したことを特徴とする入退室コントローラ。
【請求項２】
前記本体内に、前記掛合部に対向する隘路形成部を設け、この隘路形成部と前記掛合部との間に形成された幅狭の隙間内に前記ワイヤの途中が密に挿入されるようにしてなる請求項１記載の入退室コントローラ。
【発明の詳細な説明】
【技術分野】
【０００１】
本発明は、本体から外部に導出されたワイヤを有する入退室コントローラに関する。
【背景技術】
【０００２】
入退室システムでは、室のドアの近傍にコントローラを設置し、このコントローラに個人が所有するＩＣカードをかざしたり、或いは、個人のＩＤ番号を入力したりすると、入退室システム全体の制御装置、或いは、コントローラ自身が入力室資格の有無を判断し、ドアの電気施錠装置を施解錠する。この入退室コントローラは、本体内に配設された各種の電気部品に電源を供給するための電源用ワイヤ、他の機器と通信を行うための通信用ワイヤなどの多数のワイヤを有しており、それらワイヤが本体に形成された導出口から外部に引き出されている。
【０００３】
入退室コントローラは、室の外壁面に取り付けて使用される関係で、雨水に晒される環境下で使用されることもある。このような場合、雨天において、本体から導出されているワイヤに雨水が掛かると、その雨水がワイヤを伝って本体の導出口から本体内に入り、本体内を濡らすことがある。そして、本体内に入った水が電気部品に付いたりすると、故障の原因となるため、従来では、導出口をシールしてワイヤにかかった雨水が導出口から本体内に浸入することを防止するようにしていた。
【０００４】
この導出口のシール構成として、例えば特許文献１に開示されたものがある。これは、本体を下本体と上本体の２分割型のものとし、ワイヤに自己融着性を有するテープを巻回し、このテープを下本体に形成された半円状の導出口下面側と上本体に形成された半円状の導出口上面側との間に挟持することによってワイヤを伝って水が本体内に浸入することのないようにしたものである。
【特許文献１】特開平１０−３２２０４９号公報
【発明の開示】
【発明が解決しようとする課題】
【０００５】
しかしながら、上記特許文献１に記載された防水構造では、多数のワイヤをテープで束ねなければならないので、作業性に劣る。また、ワイヤの本数が多くなると、束ねられたワイヤ群の内側に生ずるワイヤ相互間の隙間を埋め難くなる。すると、ワイヤに掛かった雨水が、その束ねられたワイヤ群の内部の隙間を伝って本体内に浸入し、そのままワイヤを伝い降りて当該ワイヤが接続された電気部品を濡らしたりする。
【０００６】
本発明は上記の事情に鑑みてなされたもので、その目的は、ワイヤに付いた水がワイヤを伝って導出口から本体内に浸入することは許容するが、ワイヤを伝って本体内に水が浸入した場合には、ワイヤが接続された電気部品に至る前に、その水をワイヤから滴下させて本体外に排除することができ、しかも、この水の排除をワイヤにテープを巻回するなどの面倒な作業を要することなく、簡単な構造にて行うことができる入退室コントローラを提供することにある。
【課題を解決するための手段】
【０００７】
請求項１の発明では、ワイヤが接続された電気部品と導出口との間に位置するワイヤの途中部分を掛合部にほぼＵ字状に掛け渡したので、ワイヤを伝って本体内に浸入した水は、そのＵ字状部分（水切り部分）でワイヤから滴下し、そして、本体の下面部に形成された排水口から外部に排出される。従って、ワイヤを伝って本体内に浸入した水がそのままワイヤを伝って電気部品まで至るおそれがない。
【０００８】
請求項２の発明では、ワイヤの水切り部分が隘路形成部と掛合部との間に形成された幅狭の隙間内に密に挿入されているので、ワイヤの途中部分が掛合部に対して比較的強く摩擦接触するようになる。このため、外部からワイヤが引っ張られた場合に、その引張り力はワイヤの途中部分が摩擦接触する掛合部にて受けられ、ワイヤを電気部品から引き外すように作用するおそれがない。
【発明を実施するための最良の形態】
【０００９】
以下、本発明の一実施形態につき図面を参照しながら説明する。まず、図６に示すように、入退室コントローラの本体１は、室の外壁部２に当該室のドア（図示せず）近くに位置して取り付けられる。この本体１は、全体として矩形箱状をなし、図５に示すように、後面を開放したプラスチック製のケース３と、このケース３の後面を塞ぐ同じくプラスチック製のカバー４とから構成されている。
【００１０】
ケース３内の前面側には、図示はしないが、テンキーなどを備えたキー操作部、電磁波などの無線通信によりＩＣカードの情報を読み取るカードリーダなどが配設されている。そして、キー操作部からの操作入力情報や、カードリーダの読み取り情報は、コントローラ自身が有する制御部（図示せず）、または、他のコントローラと共に入退室システムを構築した場合にシステム全体を統括する制御装置に送られて入室資格が判断され、その判断結果に応じて上記制御部により室のドアの電気施錠装置の施解錠が制御される。
【００１１】
さて、本体１内には、図１〜図４に示すプリント基板５が配設されており、この基板５に、図示はしないが上述の制御部やカードリーダの情報処理部や電源回路などを構成する多数の電気部品（電子部品を含む）が搭載されている。そして、この基板５の前後両面のうちの前面側には、プラグ６およびソケット７からなるコネクタ（電気部品）８のうちのプラグ６が固定されている。このプラグ６の固定位置は、本実施形態では、基板５の左右両端部のうちの一方の端部、例えば本体１の前面側から見て左端部近くの下端側に定められている。なお、以下、左右と言う場合、本体１の前面側から見た場合の左右を言うものとする。
【００１２】
上記プラグ６に差し込み接続されたソケット７には、多数のワイヤ９が接続されている。上記ワイヤ９は、例えば撚り線からなる導体をプラスチックなどにより絶縁被覆して構成され、上記カードリーダや基板５上の各種電気部品に電源を供給するための電源線、他の機器との通信のための通信線などとして用いられる。
上記ワイヤ９群は、カバー４の左端側の下部に形成された導出口１０から本体１外へと引き出される。なお、導出口１０は、図２および図５（ｂ）に示すように、矩形横長状をなし、その一端たる左端がカバー４の左端において外方に開放されている。この導出口１０の上縁部には、前方に向って突出する庇部１０ａが形成されており、この庇部１０ａによって導出口１０から本体１内を覗き見ることができないようにしている。
【００１３】
導出口１０から外方へ導出されたワイヤ９には、コントローラの使用環境によっては雨水が掛かる。そして、特に、ワイヤ９が導出口１０から横方向に引き出されている場合には、その雨水がワイヤ９を伝って本体１内に浸入する場合があるので、基板５のプラグ６に差し込み接続されたソケット７から導出口１０に至るワイヤ９の途中部分には、水切りのために、以下に述べるような処理が施されている。
【００１４】
即ち、ケース３内の左下の隅部には、ケース３の前面部から後向きに延びる掛合部としての円柱状のボス部１１が一体に形成されており、図３に示すように、カバー４は、このボス部１１にねじ１２により固定される。なお、カバー４は、他の複数個所をスナップフィットによってケース３に固定される。このボス部１１の近傍には、その左右方向両側に位置して隘路形成部としての押え片１３，１４が設けられている。これら両押え片１３，１４のうち、一方の押え片１３は、図１にも示すように、ケース３の下面部にほぼＬ字状をなすように一体に突設されている。
【００１５】
この一方の押え片１３の左側面は、後方から前方に向ってボス部１１に次第に接近するような傾斜面１３ａに形成され、この傾斜面１３ａがボス部１１との間に幅狭の隙間１５を形成している。また、他方の押え片１４は、ケース３の右内側面にほぼＴ字状をなすように一体に突設され、先端の平面部１４ａがボス部１１との間に幅狭の隙間１６を形成している。なお、両押え片１３，１４は、ボス部１１よりも若干短い程度の前後方向長さを有し、前側端部はケース３の前面部に連なっている。
【００１６】
ここで、図１に示すように、押え片１３の上端部は、ボス部１１の円弧状下面部よりも上、具体的にはボス部１１の円弧状上面部よりもやや下に位置され、カバー４の導出口１０の内下面は、押え片１４の上面部よりも上に位置されている。そして、基板５のプラグ６に差し込み接続されたソケット７から引き出されたワイヤ９群は、カバー４をケース３に取り付ける前段階で、まず、押え片１３とボス部１１との間の隙間１５内に後方から挿入され、次いで、ボス部１１の下側外周部に掛け渡されて押え片１４とボス部１１との間の隙間１６内に挿入される。その後、ワイヤ９群は、カバー４の導出口１０内に左端の開放部から挿入される。そして、最後に、カバー４がケース３の後部内側にはめ込まれてスナップフィットによりケース３に取り付けられると共に、ねじ１２によりボス部１１に固定される。
【００１７】
このようにすることによってワイヤ９群が導出口１０から外方に導出された状態となり、且つ、基板５側に接続されたソケット７と導出口１０との間に位置するワイヤ９群の途中部分がボス部１１にほぼＵ字状に掛け渡された状態となる。この場合、ボス部１１の左右両側の隙間１５，１６は幅狭であることにより、ワイヤ９群は、隙間１５，１６内に密に押し込まれた状態となっている。特に、隙間１５は前方に行くに連れて次第に狭くなっているので、ワイヤ９群は、より密に隙間１５内に押し込まれることとなる。
【００１８】
ワイヤ９の途中部分は、水切りのために、以上のような処理が施されている。そして、ワイヤ９群のボス部１１にＵ字状に掛けられた途中部分は、水切り部１７とされている。
【００１９】
このようなワイヤ９群の水切り処理に加え、ケース３の下面部には、図２および図５（ａ）に示すように、下面部の左端から押え片１３の形成位置までの部分の後方寄りの部分（ケース３に取り付けられたカバー４の直前の部分）において、複数の透孔からなる排水口１８が形成されている。なお、ケース３の内周面は、型抜きのために、後方に向って拡がるように若干の勾配が付けられており、その勾配によってケース３の内下面は、後方に向ってやや下降傾斜している。
【００２０】
以上のような入退室コントローラにおいて、室の外壁面が屋外に面していて雨水が掛かる環境下で使用された場合、導出口１０から外方へ導出されたワイヤ９群に雨水が掛かり、その雨水がワイヤ９を伝って導出口１０から本体１内に浸入することがある。特に、ワイヤ９群が導出口１０から横方向に引き出された場合において、ワイヤ９に掛かった雨水がそのままワイヤ９を伝って本体１内に浸入し易くなる。
【００２１】
そして、雨水がワイヤ９を伝って本体１内に浸入すると、その雨水は、そのままワイヤ９を伝って途中のＵ字状をなす水切り部１７に至り、そこで、水滴となって滴下する。ワイヤ９群の水切り部１７から滴下した水は、ケース３の内下面に受けられ、そして、排水口１８から外部へと排出される。このため、ワイヤ９を伝って本体１内に浸入した水がソケット７に至り、ソケット７やプラグ６、或いは基板５に搭載された電気電子部品を濡らしたりする恐れはない。
また、導出口１０から本体１外に導出されたワイヤ９が何らかの原因で引っ張られたような場合、ワイヤ９の水切り部１７の両側の部分が隙間１５，１６内に押し込まれていてボス部１１、押え片１３，１４に比較的強く接触した状態になっているので、特に、押え片１３側では傾斜面１３ａによって隙間１５が前方に行くに従って次第に狭くなっていることにより、ワイヤ９群がより強く押え片１３とボス部１１とに押え付けられたようになっているので、ワイヤ９に作用した引張り力は、ボス部１１、押え片１３，１４とのワイヤ９の摩擦力によって受けられ、ソケット７まで引張り力が及ばないようになる。このため、ソケット７がプラグ６から不用意に抜けたりする恐れがない。
しかも、カバー４固定用のボス部１１の両側に押え片１３，１４を設け、ワイヤ９群を隙間１５，１６内に押し入れるようにしてボス部１１にほぼＵ字状に掛け渡すという簡単な構成で所期の目的を達成できるので、コスト的にも有利である。
【００２２】
なお、本発明は上記し且つ図面に示す実施例に限定されるものではなく、以下のような拡張或いは変更が可能である。
幅狭の一方の隙間１６は、ボス部１１の位置を左方にずらすことによって形成しても良い。
排水口は、ケース３の内下面とカバー４の下端との間に形成した隙間から構成しても良い。
【図面の簡単な説明】
【００２３】
【図１】本発明の一実施形態を示すもので、縦断して後方から見た要部の断面図
【図２】要部の縦断側面図
【図３】要部の横断平面図
【図４】導出口部分で切断して要部を上から見た横断平面図
【図５】（ａ）はケースの要部の斜視図、（ｂ）はカバーの要部の斜視図
【図６】室の外壁面に取り付けて示す本体の側面図
【符号の説明】
【００２４】
図面中、１は本体、３はケース、４はカバー、５は基板、８はコネクタ（電気部品）、９はワイヤ、１０は導出口、１１はボス部（掛合部）、１３，１４は押え片（隘路形成部）、１５，１６は隙間、１７は水切り部、１８は排水口である。
【図１】
2009094358.tif 000003
【図２】
2009094358.tif 000004
【図３】
2009094358.tif 000005
【図４】
2009094358.tif 000006
【図５】
2009094358.tif 000007
【図６】
2009094358.tif 000008